(57)【特許請求の範囲】
【請求項１】
上方が開口し、液体を収納する収納部を有する本体と、
この本体の前記開口した側の部位との螺合により取り付けられ、上方が開口すると共に、飲料用抽出原料を収納する凹所を有し、前記凹所の底部に複数の開口部を有する濾過体と、
この濾過体と前記本体との間をシールする第１のシール部材と、
前記濾過体の上方の前記開口した部位との螺合により取り付けられ、前記濾過体の上方の前記開口した部位を開閉する蓋体と、
この蓋体と前記濾過体との間をシールする第２のシール部材とを有し、
前記蓋体の前記濾過体の側に突出する蓋体側突出部と、
この蓋体側突出部の外周に設けられた蓋体側雄ネジと、
前記濾過体の内壁に設けられ、前記蓋体側雄ネジに螺合する濾過体側雌ネジと、
前記濾過体の本体の側に突出するように設けられた濾過体側突出部と、
この蓋体側突出部の濾過体に面する側に凹所が形成され、
前記濾過体の複数の開口部を有する凹所の底部は、濾過体側突出部の先端より突出しない位置にあり、
前記蓋体側突出部の前記濾過体に面する側に形成された凹所と前記濾過体の複数の開口部を有する凹所とが対向し、
前記濾過体の先端から、少なくとも、５ｍｍ以上、前記濾過体側雌ネジの雌ネジの山が前記濾過体の内壁に設けられていない
ことを特徴とする飲料用容器。 
【請求項２】
濾過体側突出部の外周に設けられた濾過体側雄ネジと、
本体の内壁に設けられ、前記濾過体側雄ネジ及び蓋体側雄ネジに螺合する本体側雌ネジと、
を備えていることを特徴とする請求項１記載の飲料用容器。 
【発明の詳細な説明】
【技術分野】
【０００１】
本発明は、飲料用容器に係り、特に、使用勝手の良好な飲料用容器に関する。
【０００２】
従来、飲料用容器、例えば、携帯用茶ボトルがある（例えば、特許文献１参照）。
この携帯用茶ボトルにあっては、飲料水が充填されたボトル本体の飲み口に蓋部材を着脱可能に装着してあり、前記蓋部材に粉末茶が収納される収納部が設けられ、茶を飲むときには、密封シートを剥がして収納部から粉末茶をボトル本体に入れるようにしている。
【特許文献１】特開２００６−１４３３２７号公報（図１参照）
【発明の開示】
【発明が解決しようとする課題】
【０００３】
上記携帯用茶ボトルにあっては、粉末茶であれば、支障を生じないが、フィルターがないため、茶葉では使用にくいという問題点が生じた。
【０００４】
本発明は、上記の問題点を除去するようにした使用勝手の良好な飲料用容器を提供することを目的とする。
【課題を解決するための手段】
【０００５】
本発明の飲料用容器は、上方が開口し、液体を収納する収納部を有する本体と、この本体の前記開口した側の部位との螺合により取り付けられ、上方が開口すると共に、飲料用抽出原料を収納する凹所を有し、前記凹所の底部に複数の開口部を有する濾過体と、この濾過体と前記本体との間をシールする第１のシール部材と、前記濾過体の上方の前記開口した部位との螺合により取り付けられ、前記濾過体の上方の前記開口した部位を開閉する蓋体と、この蓋体と前記濾過体との間をシールする第２のシール部材とを有し、前記蓋体の前記濾過体の側に突出する蓋体側突出部と、この蓋体側突出部の外周に設けられた蓋体側雄ネジと、前記濾過体の内壁に設けられ、前記蓋体側雄ネジに螺合する濾過体側雌ネジと、前記濾過体の本体の側に突出するように設けられた濾過体側突出部と、この蓋体側突出部の濾過体に面する側に凹所が形成され、前記濾過体の複数の開口部を有する凹所の底部は、濾過体側突出部の先端より突出しない位置にあり、前記蓋体側突出部の前記濾過体に面する側に形成された凹所と前記濾過体の複数の開口部を有する凹所とが対向し、前記濾過体の先端から、少なくとも、５ｍｍ以上、前記濾過体側雌ネジの雌ネジの山が前記濾過体の内壁に設けられていないものである。
【０００６】
また、請求項２記載の飲料用容器は、請求項１記載の飲料用容器において、濾過体側突出部の外周に設けられた濾過体側雄ネジと、本体の内壁に設けられ、前記濾過体側雄ネジ及び蓋体側雄ネジに螺合する本体側雌ネジと、を備えているものである。
【発明の効果】
【００１４】
請求項１記載の飲料用容器によれば、本体と濾過体とは螺合により取り付けられているため、本体と濾過体とは分離でき、飲料用抽出原料、液体の温度に応じて、飲料用抽出原料を濾過体の凹所、又は、本体内に選択的に入れることができ、飲料用抽出原料を濾過体の凹所に入れた場合には、濾過体を本体から取り外して、本体の上方が開口した部位から飲むことができ、その際、蓋体の上面を載置面に置けば、濾過体からの液体の漏れをも防ぐことができ、又、飲料用抽出原料を本体内に入れた場合には、蓋体を濾過体から取り外して、濾過体の上方が開口した部位から飲むことができ、その際、濾過体に設けた複数の開口部はフィルターの機能を有するため、残存する飲料用抽出原料を本体内に残すことができ、しかも、濾過体と本体とは第１のシール部材、蓋体と濾過体とは第２のシール部材によりそれぞれシールされているため、漏れが防止でき、携帯に便利で、更に、飲料用容器は、本体、濾過体、蓋体に分離できるため、各部材の清掃も簡易にでき、飲料用容器を清潔に保つことができ、使用勝手の良好な飲料用容器を得ることができ、また、濾過体の先端から、少なくとも、５ｍｍ以上、濾過体側雌ネジの雌ネジの山が前記濾過体の内壁に設けられていないため、蓋体を濾過体から取り外し、濾過体の上方が開口した部位から飲む際、唇が雌ネジの山に接触しないため、違和感を生じることを防止することができる。
【発明を実施するための最良の形態】
【００２０】
本発明の飲料用容器の一実施例を図面を参照して説明する。
図１乃至図９において、Ａは飲料用容器で、飲料用容器Ａは、図２に示すように、上方が開口し、液体を収納する収納部１ａを有する本体１と、この本体１の前記開口した側の部位との螺合により取り付けられ、上方が開口すると共に、飲料用抽出原料（例えば、茶葉、紅茶、ハーブティー等）を収納する凹所２ａを有し、この凹所２ａの底部に複数の開口部２ｂを有する濾過体（フィルター）２と、この濾過体２の上方の前記開口した部位との螺合により取り付けられ、濾過体２の上方の前記開口した部位を開閉する蓋体３とを有している。
これら本体１、濾過体２、蓋体３は、例えば、合成樹脂で成型されている。
また、図２に示す４は、濾過体２と本体１との間をシールする第１のシール部材で、５は、蓋体３と濾過体２との間をシールする第２のシール部材である。これら第１のシール部材４、第２のシール部材５は、例えば、シリコンゴムで成型されれている。
【００２１】
上述した飲料用容器Ａにあっては、本体１と濾過体２とは螺合により取り付けられているため、本体１と濾過体２とは分離でき、飲料用抽出原料（例えば、茶葉）、液体の温度（例えば、液体が水である場合の冬場と夏場）に応じて、例えば、夏場にあっては、図２及び図３に示すように、飲料用抽出原料と水を本体１内に入れ、飲料用抽出原料が常時水に抽出できるようにする。
飲む場合には、蓋体３を濾過体２から取り外して、濾過体２の上方が開口した部位から飲むことができ、その際、濾過体２に設けた複数の開口部２ｂはフィルターの機能を有するため、残存する飲料用抽出原料を本体１内に残すことができる。
【００２２】
また、冬場にあっては、図５乃至９に示すように、茶葉を本体１内に入れず、茶葉を濾過体２の凹所２ａに入れ、お湯を濾過体２を介さず本体１内に注入し、注入後、本体１と濾過体２、濾過体２と蓋体３をそれぞれ螺合により取り付けて一体化する。（場合により、茶葉が入れられた濾過体２の上からお湯を通し、抽出液を本体１内に入れるようにしても良い。）。
抽出液の濃さを濃くしたいときには、図７に示すように、本体１の底部が上方を向くようにするか、又は、図示しないが、本体１、濾過体２及び蓋体３が一体化した飲料用容器Ａを揺り動かすようにする。揺り動かしても、濾過体２と本体１とは第１のシール部材４、蓋体３と濾過体２とは第２のシール部材５により、それぞれシールされているため、漏れは生じない。
飲む場合には、濾過体２を本体１から取り外して、図９に示すように、本体１の上方が開口した部位から飲むことができ、その際、濾過体２と螺合により一体となった蓋体３の上面を載置面（図示せず）に置けば、濾過体２からの液体の漏れをも防ぐことができる
。
なお、濾過体２の凹所２ａに飲料用抽出原料が入れられた状態にあっては、本体１内に本体１の上方が開口した部位が上に位置するように、立設した状態で液体が、濾過体２の凹所２ａに入れられた前記飲料用抽出原料に接触しない位置まで入れられた状態が望ましい。
【００２３】
このように、上述した飲料用容器Ａにあっては、飲料用抽出原料を本体１内、又は濾過体２内と、入れる部位を選択的に行うことができ、しかも、濾過体２と本体１とは第１のシール部材４、蓋体３と濾過体２とは第２のシール部材５により、それぞれシールされているため、漏れが防止できるため、携帯に便利で、更に、飲料用容器Ａは、本体１、濾過体２、蓋体３にそれぞれ分離できるため、各部材の清掃も簡易にでき、飲料用容器Ａを清潔に保つことができ、使用勝手の良好な飲料用容器Ａを得ることができる。 
なお、上述した飲料用抽出原料を本体１内、又は濾過体２内と、入れる部位を選択的に行うことができること、言い換えれば、飲料用容器の使用方法において、飲料用抽出原料の浸漬時間を多く取りたいときには、飲料用抽出原料を液体と共に、本体１内に入れ、前記飲料用抽出原料の浸漬時間を少なく取りたいときには、前記飲料用抽出原料を本体１内に入れず、濾過体２の凹所２ａに前記飲料用抽出原料を入れ、濾過体２を介して、液体を本体１内に注入することができるようになっている。
【００２４】
また、図４に示すように、蓋体３の濾過体２の側に突出する蓋体側突出部３Ａが設けられ、この蓋体側突出部３Ａの外周に蓋体側雄ネジ３Ｂが設けられている。この蓋体側雄ネジ３Ｂは、濾過体２の内壁に設けられた濾過体側雌ネジ２Ａに螺合するようになっている。
なお、濾過体２の先端から、少なくとも、Ｈの寸法以上（例えば、５ｍｍ以上）、濾過体側雌ネジ２Ａの雌ネジの山が濾過体２の内壁に設けられていないようにすることが好ましい。これは、蓋体３を濾過体２から取り外し、濾過体２の上方が開口した部位から飲む際、唇が雌ネジの山に接触しないようにして、違和感を生じることを防止するためである。
また、図６及び図７に示すように、蓋体側突出部３Ａの濾過体２に面する側には、凹所３Ｃが形成されている。この凹所３Ｃと濾過体２に形成された凹所により、飲料用抽出原料の浸出するスペースを多くとることができるようになっている。
【００２５】
また、図４に示すように、濾過体２の本体１の側に突出するように濾過体側突出部２Ｂが設けられ、この濾過体側突出部２Ｂの外周に濾過体側雄ネジ２Ｃが設けられている。
この濾過体側雄ネジ２Ｃは、本体１の内壁に設けられた本体側雌ネジ１Ａに螺合するようになっている。
なお、本体１の先端から、少なくとも、ｈの寸法以上（例えば、５ｍｍ以上）、本体側雌ネジ１Ａの雌ネジの山が本体１の内壁に設けられていないようにすることが好ましい。これは、濾過体２を本体１から取り外し、図９に示すように、本体１の上方が開口した部位から飲む際、唇が雌ネジの山に接触しないため、違和感を生じることを防止するためである。
また、図６に示すように、濾過体側突出部２Ｂの本体１に面する側には凹所２Ｄが形成されている。この凹所２Ｄと本体１に形成された凹所により、液体を収納するスペースを多くとることができるようになっている。
【００２６】
なお、蓋体側雄ネジ３Ｂは、濾過体側雌ネジ２Ａに螺合するようになっているが、本体側雌ネジ１Ａに螺合するようにしても良い。これは、濾過体２が不要な場合、図８に示すように、本体１の開口を蓋体３で閉じて、携帯に便利なコンパクトな飲料用容器Ａを得るためである。
また、上述した本体１の底部を一体化しているが、図１０に示すように、本体１と本体１の底部１１とを螺合により取り付け、本体１と本体１の底部１１との間を第３のシール部材７によりシールするようにして、本体１内の清掃をし易くし、清潔さを保つようにしても良い。
【図面の簡単な説明】
【００２７】
【図１】図１は、本発明の一実施例の飲料用容器の概略的正面一部断面図である。
【図２】図２は、図１の飲料用容器の概略的分解斜視図である。
【図３】図３は、図１の飲料用容器の本体内に、飲料用抽出原料と液体とを入れる状態の概略的斜視図である。
【図４】図４は、図３の飲料用容器の本体内に、飲料用抽出原料と液体とを入れた状態の概略的断面図である。
【図５】図５は、図１の飲料用容器の濾過体内に、飲料用抽出原料を入れる状態の概略的斜視図である。
【図６】図６は、図５の飲料用容器の濾過体内に飲料用抽出原料、本体内に液体が入った状態の概略的断面図である。
【図７】図７は、図６の飲料用容器の本体の底部が上方を向くように載置した状態の概略的断面図である。
【図８】図８は、図６の飲料用容器の濾過体を取り外し、蓋体を本体に螺合させて取り付けた状態の概略的正面一部断面図である。
【図９】図９は、図６又は図８の本体内の液体を飲用する状態の概略的図である。
【図１０】図１０は、図１の飲料用容器の他の実施例の飲料用容器の概略的正面一部断面図である。
【符号の説明】
【００２８】
Ａ        飲料用容器
１        本体
２        濾過体
３        蓋体
４        第１のシール部材
５        第２のシール部材
【図１】
0005068607.tif 000002
【図２】
0005068607.tif 000003
【図３】
0005068607.tif 000004
【図４】
0005068607.tif 000005
【図５】
0005068607.tif 000006
【図６】
0005068607.tif 000007
【図７】
0005068607.tif 000008
【図８】
0005068607.tif 000009
【図９】
0005068607.tif 000010
【図１０】
0005068607.tif 000011